(57)【要約】【課題】ラベルの引き出しを容易化した電子機器を提供する。【解決手段】タブレット型コンピュータ１は、タブレット型コンピュータ１に関する情報を記載したラベル５０と、開口１０ａを有する筐体１０と、開口１０ａを開閉する蓋４０と、を備える。ラベル５０は、筐体１０内に開口１０ａ近傍で収容されている。蓋４０及びラベル５０に、蓋４０が開かれる過程で互いに当接する当接部４０ｆ及び当接部５０ｅが設けられている。蓋４０の開き動作に連動して当接部４０ｆが当接部５０ｅに当接することで、ラベル５０が開口１０ａを介して外部に押し出される。【選択図】図９
2018107347.tif 000002
【特許請求の範囲】
【請求項１】
電子機器に関する情報を記載したラベルと、
開口を有する筐体と、
前記開口を開閉する蓋と、を備え、
前記ラベルは、前記筐体内に前記開口近傍で収容され、
前記蓋及び前記ラベルに、前記蓋が開かれる過程で互いに当接する蓋側当接部及びラベル側当接部が設けられ、
前記蓋の開き動作に連動して前記蓋側当接部が前記ラベル側当接部に当接することで、前記ラベルが前記開口を介して外部に押し出される、
電子機器。
【請求項２】
前記ラベルが前記筐体内に収容され、かつ前記蓋が閉じられた状態において、前記蓋側当接部と前記ラベル側当接部との間に、所定距離の隙間が形成されている、
請求項１に記載の電子機器。
【請求項３】
前記ラベルはフィルム状の素材で形成され、
前記筐体内に、前記ラベルの移動をガイドするガイド部材が設けられている、
請求項１または２に記載の電子機器。
【請求項４】
前記ガイド部材は、前記筐体の内面に固着され、前記ラベルを前記筐体の内面近傍で移動させるようにガイドする、
請求項３に記載の電子機器。
【請求項５】
前記開口の内部に、外部機器とのインタフェースとなるインタフェース部材が配置されている、
請求項１から３のいずれか１項に記載の電子機器。
【請求項６】
前記外部機器はＳＩＭカードであり、
前記インタフェース部材は、前記ＳＩＭカードに格納された情報を読み取るＳＩＭカードリーダである、
請求項５に記載の電子機器。
【請求項７】
タブレット型コンピュータである、
請求項１から６のいずれか１項に記載の電子機器。
【発明の詳細な説明】
【技術分野】
【０００１】
本開示は、電子機器に関する情報を記載したラベルを引き出し可能に筐体内に収納した電子機器に関する。
【背景技術】
【０００２】
特許文献１は、電子機器に関する情報を記載したラベルが貼付されたプレートを引き出し可能に筐体内に収納した電子機器を開示している。
【先行技術文献】
【特許文献】
【０００３】
【特許文献１】特開２０１１−８２２１９号公報
【発明の概要】
【発明が解決しようとする課題】
【０００４】
本開示は、ラベルの引き出しを容易化した電子機器を提供する。
【課題を解決するための手段】
【０００５】
本開示の電子機器は、電子機器に関する情報を記載したラベルと、開口を有する筐体と、  開口を開閉する蓋と、を備える。ラベルは、筐体内に開口近傍で収容される。蓋及びラベルに、蓋が開かれる過程で互いに当接する蓋側当接部及びラベル側当接部が設けられている。蓋の開き動作に連動して蓋側当接部がラベル側当接部に当接することで、ラベルが開口を介して外部に押し出される。
【発明の効果】
【０００６】
本開示によれば、蓋を開けるとラベルが追随して自動的に引き出される。そのため、ラベルの引き出しが容易化する。
【図面の簡単な説明】
【０００７】
【図１】実施形態１におけるタブレット型コンピュータの平面図である。
【図２】ＳＩＭカードリーダが配置される側部の斜視図である。
【図３】タブレット型コンピュータの背面側筐体を取り外し、かつラベル引き出し構造に関連する部材を分解して示した斜視図である。
【図４】蓋単体の外観を拡大して示した拡大斜視図である。
【図５】ラベル単体の外観を拡大して示した拡大斜視図である。
【図６】蓋の当接部とラベルの当接部が当接した状態を示す斜視図である。
【図７】図１のＡ−Ａ線による断面斜視図である。
【図８】ラベルとガイド部材と蓋を前面側から透視して示した図である（蓋が閉じられた状態）。
【図９】ラベルとガイド部材と蓋を前面側から透視して示した図である（蓋が開かれた状態）。
【図１０】ラベルとガイド部材と蓋を前面側から透視して示した図である（ラベルが引き出された状態）。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図面を参照して実施の形態１を説明する。
【００１１】
［１．構成］
［１−１．概要］
図１は、実施の形態１におけるタブレット型コンピュータの平面図である。タブレット型コンピュータ１は、電子機器の一例である。タブレット型コンピュータ１の前面には、タッチパネルを有する表示部５が設けられている。また、タブレット型コンピュータ１の内部には、ＳＩＭカードリーダ３０、及びラベル５０が収容されている。また、タブレット型コンピュータ１の内部には、中央演算処理装置（ＣＰＵ）、メモリ、ソリッドステートドライブ（ＳＳＤ）、画像プロセッサ、通信モジュール等、種々の電子部品が収容されている。
【００１２】
ＳＩＭカードリーダ３０は、通信事業者等が発行する加入者識別モジュールカード（ＳＩＭカード）を装着することができる。ＳＩＭカードリーダ３０は、装着されたＳＩＭカードから加入者識別情報等の所定の情報を読み取ってＣＰＵに出力する。
【００１３】
ラベル５０には、タブレット型コンピュータ１の品番、製造番号、無線通信に関する技術基準適合証明に関する情報、国際移動体装置識別番号（端末識別番号）等の情報が印字されている。なお、これらの情報は一例であり、これらの全ての情報が印字されていることは必須ではなく、また他の情報が印字されていてもよい。
【００１４】
図２は、ＳＩＭカードリーダ３０が配置される側部の斜視図である。図２（ａ）に示すように、タブレット型コンピュータ１の筐体１０の側部には、ＳＩＭカードリーダ３０にアクセスするための開口１０ａと、開口１０ａを閉じるための蓋４０が配置されている。本実施形態では、図２（ｂ）に示すように蓋４０を開くと、ラベル５０が蓋４０の開き動作に連動して引き出され、さらに、引き出されたラベル５０を指等でつまんで引っ張ることで図２（ｃ）に示すようにラベル５０を引き出すことが可能なように構成されている。
【００１５】
図２（ａ）に示す状態では、蓋４０の内面の係合部４０ｅが筐体１０の開口１０ａの縁部１０ｂ（図７参照）に係合することで、閉状態が維持される。なお、蓋４０は、比較的変形しやすい柔軟な樹脂により形成されており、蓋４０にユーザの指の爪等をかけることで、容易に、係合部４０ｅの縁部１０ｂへの係合を解除して蓋４０を開くことができるように構成されている。
【００１６】
［１−２．ラベル引き出し構造］
ラベル５０の引き出し構造について以下詳しく説明する。
【００１７】
図３は、タブレット型コンピュータ１の背面側筐体を取り外し、かつラベル引き出し構造に関連する部材を分解して示した斜視図である。図４は、蓋単体の外観を拡大して示した拡大斜視図である。図５は、ラベル単体の外観を拡大して示した拡大斜視図である。図６は、蓋の当接部とラベルの当接部が当接した状態を示す斜視図である。図７は、図１のＡ−Ａ線による断面斜視図である。図８は、蓋が閉じられた状態において、ラベルとガイド部材と蓋を前面側から透視して示した図である。
【００１８】
図３に示すように、タブレット型コンピュータ１は、ラベル引き出し構造に関連する部材として、ガイド部材６０、ラベル５０、及び蓋４０を備える。ガイド部材６０、ラベル５０及び蓋４０は、ＳＩＭカードリーダ３０側からこの順番で筐体１０内に配置される。
【００１９】
図７に示すように、筐体１０は、前面側筐体１１及び背面側筐体１２を有しており、開口１０ａは背面側筐体１２に形成され、蓋４０は閉じられることで開口１０ａを塞ぐ。ラベル５０及びガイド部材６０は、ＳＩＭカードリーダ３０が実装される基板２０と、背面側筐体１２との間の隙間空間Ｘに配置される。
【００２０】
図３、図４に示すように、蓋４０は、蓋本体部４０ａと、ストッパ部４０ｂと、連結部４０ｃと、凸部４０ｄとを有する。蓋４０は、前述したように比較的変形しやすい柔軟な樹脂により形成されている。
【００２１】
蓋本体部４０ａは、蓋４０の本体を構成する。蓋本体部４０ａは、図７、図８にも示すように、蓋４０が閉じられたときに、筐体１０の開口１０ａに嵌まり、開口１０ａを塞ぐ。
【００２２】
連結部４０ｃは、蓋本体部４０ａとストッパ部４０ｂとを連結する。
【００２３】
ストッパ部４０ｂは、蓋４０が筐体１０から脱落するのを防止する部位である。ストッパ部４０ｂは、図７にも示すように、筐体１０内にタブレット型コンピュータ１の装置厚み方向で背面側筐体１２の内壁１２ｂとほぼ同じ位置に配置され、蓋４０が開かれる過程で内壁１２ｂに当接することで、蓋４０が筐体１０から脱落するのを防止する。
【００２４】
凸部４０ｄは、ストッパ部４０ｂの長手方向一端から、タブレット型コンピュータ１の装置厚み方向でラベル５０側に突出する。凸部４０ｄは、図４に示すように当接部４０ｆを有する。当接部４０ｆは、図６にも示すように、蓋４０が開かれる過程でラベル５０の凸部５０ｂの当接部５０ｅと当接する。
【００２５】
図３、図５に示すように、ラベル５０は、ラベル本体部５０ａと、凸部５０ｂと、ガイド挿通孔５０ｃとを有する。ラベル５０は、ポリエチレンテレフタレート（ＰＥＴ）等の樹脂で形成された薄膜フィルム状のシートである。
【００２６】
ラベル本体部５０ａは、タブレット型コンピュータ１の品番、製造番号、無線通信に関する技術基準適合証明に関する情報、国際移動体装置識別番号（端末識別番号）等の情報が印字される部位である。
【００２７】
凸部５０ｂは、ラベル本体部５０ａの長手方向に沿う一の縁部に、筐体１０の開口１０ａ（以下適宜「筐体開口１０ａ」という）側で設けられている。凸部５０ｂは、図５に示すように当接部５０ｅを有する。当接部５０ｅは、図６にも示すように、蓋４０が開かれる過程で蓋４０の凸部４０ｄの当接部４０ｆと当接する。
【００２８】
ガイド挿通孔５０ｃは、ラベル本体部５０ａにおいて筐体開口１０ａ側とは反対側の端部に形成されている。ガイド挿通孔５０ｃは、図８にも示すように、ガイド部材６０のガイド部６０ａが挿通される。
【００２９】
図３に示すように、ガイド部材６０は、ガイド部６０ａと、一対の腕部６０ｂと、規制部６０ｄとを有する。ガイド部材６０は、ポリエチレンテレフタレート（ＰＥＴ）等の樹脂で形成された薄膜フィルム状のシートである。
【００３０】
ガイド部６０ａは、テープ状に延びる部位である。ガイド部６０ａは、図８にも示すように、ラベル５０のガイド挿通孔５０ｃに挿通される。
【００３１】
腕部６０ｂは、ガイド部６０ａのストッパ部４０ｂ側とは反対側の端部から腕状に延びる。図３において腕部６０ｂとガイド部６０ａとの間の矢印Ｇで示す線は、腕部６０ｂとガイド部６０ａとを分離するスリットである。
【００３２】
規制部６０ｄは、ガイド部６０ａの長手方向に直交する方向に延びる。ガイド部材６０において規制部６０ｄが設けられている位置での上記直交方向の長さは、ラベル５０のガイド挿通孔５０ｃの上記直交方向の長さよりも長い。図８に示す組み立て状態では、規制部６０ｄは、ガイド部６０ａの先端とガイド挿通孔５０ｃとの間に位置している。これにより、ラベル５０が収容のためにガイド部６０ａの先端方向に押し込まれる際に、ガイド挿通孔５０ｃの縁が規制部６０ｄに当接する。そのため、ラベル５０が、ガイド部６０ａの先端の粘着材６０ｃを剥がす程度にまで、ガイド部６０ａの先端側に移動することが防止される。なお、ガイド部６０ａの先端側がラベル５０のガイド挿通孔５０ｃに挿通される際には、規制部６０ｄは根元で折り曲げられ、挿通後、自己の弾力性により元の状態に復元する。
【００３３】
ガイド部６０ａにおける筐体開口１０ａ側とは反対側の端部と、一対の腕部６０ｂの先端部にはそれぞれ、両面テープ等で構成された粘着材６０ｃが貼り付けられている。これらの粘着材６０ｃにより、図８に示すように、ガイド部材６０は背面側筐体１２の内面に固着される。なお、この状態において、ガイド部材６０は、粘着材６０ｃで固着される端部を除き、図７に示すように、背面側筐体１２の内面に対して離間し、これらの間にラベル５０が位置する。そして、ガイド部材６０は、ラベル５０を筐体１０（背面側筐体１２）の内面近傍で移動させるようにガイドする。
【００３４】
［１−３．作用］
図８、図９、図１０を参照して、ラベル引き出し構造の作用について説明する。図８は前述した通り、蓋４０が閉じられた状態でラベル５０とガイド部材６０と蓋４０を前面側から透視して示した図である。図９は、蓋４０が開かれた状態でラベル５０とガイド部材６０と蓋４０を前面側から透視して示した図である。図１０は、ラベル５０が引き出された状態でラベル５０とガイド部材６０と蓋４０を前面側から透視して示した図である。
【００３５】
図８に示すように、蓋４０が閉じられた状態において、ラベル５０は、筐体１０の内部に収容される。ラベル５０は、蓋４０が閉じられる前に、筐体１０の開口１０ａ側からユーザの指等で筐体１０内に押し込まれるように構成している。
【００３６】
ここで、蓋４０の当接部４０ｆとラベル５０の当接部５０ｅとは、蓋４０が閉じられた状態において、これらの間に所定距離Ｌの隙間が形成されるように設けられている。隙間をなくすと、ラベル５０の収容の仕方（押し込まれ方）や蓋４０の閉じ方によっては、蓋４０が閉じられた状態で蓋４０の当接部４０ｆがラベル５０の当接部５０ｅよりも開口側に位置してしまう可能性がある。この位置関係の場合、蓋４０を開く過程で蓋４０の当接部４０ｆとラベル５０の当接部５０ｅとが当接せず、ラベル５０が引き出されなくなるおそれがある。そのため、ラベル５０の収容の仕方や蓋４０の閉じ方によらずに、蓋４０を開く過程で蓋４０の当接部４０ｆとラベル５０の当接部５０ｅとが当接するように、所定距離Ｌの隙間を設けている。
【００３７】
蓋４０が開かれ始めると、蓋４０の当接部４０ｆとラベル５０の当接部５０ｅとの間の距離が小さくなっていく。そして、蓋４０が所定距離Ｌだけ引き出されると、蓋４０の当接部４０ｆとラベル５０の当接部５０ｅとが当接し、さらに蓋４０が引き出されると、蓋４０の外部空間側への移動に連動して、ラベル５０が開口１０ａから外部に引き出される。そして、図９に示すように、蓋４０のストッパ部４０ｂが背面側筐体１２の内壁１２ｂに当接する位置まで蓋４０が引き出されると、ラベル５０も、開口１０ａの外部の空間に図９に示す程度の所定量引き出される。所定量は、ユーザがラベル５０を指で容易につまむことが可能な程度の量である。この所定量と上記所定距離Ｌに基づいて、蓋４０の最大引き出し量は設定されている。
【００３８】
また、図８に示したように、蓋４０が閉じられた状態において、ガイド挿通孔５０ｃの縁と規制部６０ｄとの距離Ｌ２は、所定距離Ｌよりも小さくなるように設定される。これにより、ラベル５０の当接部５０ｅが蓋４０の当接部４０ｆを乗り越える程度にまで、ラベル５０が無理やり押し込まれたとしても、ガイド挿通孔５０ｃの縁と規制部６０ｄとが当接して、それ以上ラベル５０が押し込まれることはなく、蓋４０が閉じられた状態において所定距離Ｌを確保することができる。
【００３９】
図９に示す状態のときにユーザが指でラベル５０の引き出された部分をつまんで引き出すことで、図１０に示すように、ラベル本体部５０ａのほとんどが外部空間に引き出された状態とすることができる。なお、ラベル５０の引き出しは、ラベル５０のガイド挿通孔５０ｃの縁がガイド部材６０のガイド部６０ａの根元（筐体開口１０ａ側の端）に当接することで規制される。そのため、ラベル５０が完全に外部に引き出されて脱落するようなことは生じない。
【００４０】
［２．効果等］
実施形態１のタブレット型コンピュータ１（電子機器の一例）は、タブレット型コンピュータ１に関する情報を記載したラベル５０と、開口１０ａを有する筐体１０と、開口１０ａを開閉する蓋４０と、を備える。ラベル５０は、筐体１０内に開口１０ａ近傍で収容されている。蓋４０及びラベル５０に、蓋４０が開かれる過程で互いに当接する当接部４０ｆ（蓋側当接部）及び当接部５０ｅ（ラベル側当接部）が設けられている。蓋４０の開き動作に連動して当接部４０ｆ（蓋側当接部）が当接部５０ｅ（ラベル側当接部）に当接することで、ラベル５０が開口１０ａを介して外部に押し出される。
【００４１】
これにより、蓋４０を開けるとラベル５０が追随して自動的に引き出される。そのため、ラベル５０の引き出しが容易化する。
【００４２】
実施形態１のタブレット型コンピュータ１において、ラベル５０が筐体１０内に収容され、かつ蓋４０が閉じられた状態において、当接部４０ｆ（蓋側当接部）と当接部５０ｅ（ラベル側当接部）との間に、所定距離Ｌの隙間が設けられている。
【００４３】
これにより、ラベル５０の収容の仕方や蓋４０の閉じ方によらずに、蓋４０を開く過程でラベル５０を引き出させることができる。
【００４４】
実施形態１のタブレット型コンピュータ１において、ラベル５０はフィルム状の素材で形成されている。筐体１０内に、ラベル５０の移動をガイドするガイド部材６０が設けられている。
【００４５】
これにより、ラベル５０を薄くしつつ、ラベル５０の移動を適切に行わせることができる。
【００４６】
実施形態１のタブレット型コンピュータ１において、ガイド部材６０は、筐体１０の内面に固着され、ラベル５０を筐体１０の内面近傍で移動させるようにガイドする。
【００４７】
これにより、筐体１０の内面と、筐体１０の内部に収容されている種々の電子部品との間の隙間空間Ｘを有効に利用して、ラベル５０を収容しかつ移動させることができる。また、ラベル５０を筐体１０内に収容した場合でも、タブレット型コンピュータ１の厚みの増加を極力抑制できる。
【００４８】
実施形態１のタブレット型コンピュータ１において、開口１０ａの内部に、ＳＩＭカード（外部機器の一例）とのインタフェースとなるＳＩＭカードリーダ３０（インタフェース部材の一例）が配置されている。
【００４９】
これにより、ＳＩＭカードとのインタフェースとなるＳＩＭカードリーダ３０が配置される開口１０ａを利用して、ラベル５０の出し入れを行わせることができる。
【００５０】
実施形態１のタブレット型コンピュータ１において、外部機器はＳＩＭカードであり、インタフェース部材は、ＳＩＭカードに格納された情報を読み取るＳＩＭカードリーダ３０である。
【００５１】
これにより、ＳＩＭカードの出し入れ用（ＳＩＭカードリーダ３０へのアクセス用）の開口１０ａを利用して、ラベル５０の出し入れを行わせることができる。ここで、ユーザがラベル５０を見る必要性は比較的少ないと考えられる。そのため、蓋４０を開けるたびにラベル５０が連動して引き出されると、ユーザにわずらわしさ感を与えるおそれがある。そのため、比較的ユーザ自身が出し入れすることの少ないＳＩＭカードの出し入れ用の蓋４０の開閉に連動させて、ラベル５０が引き出されるように構成したものである。
【００５２】
実施形態１において、電子機器は、タブレット型コンピュータ１である。
【００５３】
タブレット型コンピュータ１では、美観上、電子機器に関する情報を外観意匠面に表示させないことが要求される場合がある。そこで、本実施形態では、電子機器に関する情報を外観意匠面に表示させるのでなく、ラベル５０に印字して筐体１０の内部に収容するようにした。そのような場合において、本実施形態では、蓋４０を開くだけでタブレット型コンピュータ１に関する情報を記載したラベル５０が連動して引き出されることで、利用者等において容易にタブレット型コンピュータ１に関する情報を確認できるようになる。
【００５４】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００５５】
（１）前記実施の形態では、外部機器はＳＩＭカードであり、インタフェース部材は、ＳＩＭカードに格納された情報を読み取るＳＩＭカードリーダ３０である場合を例示した。しかし、本開示において、外部機器は、ＳＤカードやＣＦカード等の一般的なメモリカードであってもよい。この場合、インタフェース部材は、メモリカードに対して情報の書き込みと読み取りとの少なくとも一方を行うリーダである。また、外部機器とのインタフェースとなるインタフェース部材は、例えばＵＳＢケーブル接続用のＵＳＢコネクタ、ＬＡＮケーブル接続用のＬＡＮコネクタ、その他の信号ケーブル接続用のコネクタや、電源ゲーブル接続用のコネクタ等であってもよい。
【００５６】
（２）前記実施の形態では、電子機器がタブレット型コンピュータ１である場合を例示した。しかし、本開示の電子機器は、スマートフォン、ノートブック型コンピュータ、デスクトップ型コンピュータその他の電子機器に広く適用できる。
【００５７】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００５８】
本開示は、電子機器に関する情報を記載したラベルを引き出し可能に筐体内に収納した電子機器において広く利用可能である。
【符号の説明】
【００５９】
１  タブレット型コンピュータ
５  表示部
６  ＳＳＤ
１０  筐体
１０ａ  開口
１０ｂ  縁部
１１  前面側筐体
１２  背面側筐体
２０  基板
３０  ＳＩＭカードリーダ
４０  蓋
４０ａ  蓋本体部
４０ｂ  ストッパ部
４０ｃ  連結部
４０ｄ  凸部
４０ｅ  係合部
４０ｆ  当接部
５０  ラベル
５０ａ  ラベル本体部
５０ｂ  凸部
５０ｃ  ガイド挿通孔
５０ｅ  当接部
６０  ガイド部材
６０ａ  ガイド部
６０ｂ  腕部
６０ｃ  粘着材
６０ｄ  規制部
【図１】
2018107347.tif 000003
【図２】
2018107347.tif 000004
【図３】
2018107347.tif 000005
【図４】
2018107347.tif 000006
【図５】
2018107347.tif 000007
【図６】
2018107347.tif 000008
【図７】
2018107347.tif 000009
【図８】
2018107347.tif 000010
【図９】
2018107347.tif 000011
【図１０】
2018107347.tif 000012